(57)【要約】【課題】空気を効率的に吸引する為に外側から空気を吹き出し、それを内側で吸引する一連の流れを作り空気の吸入効率を高め、かつ、安全性を確保可能にする。【解決手段】同心円二重構造の円筒状の吸引口を有し、その外側から円筒と内側の円筒の間から空気を吹き出し、内側の円筒で空気を吸引する機能を併せ持ち、合わせてそれぞれ双方向に流れる空気の吹き出しと吸引する際の空気の流れを同じ回転方向に誘導させる機能を持つことで、竜巻状の強い吸入する風の流れを作る。【選択図】  図１
2018048598.tif 000002
【特許請求の範囲】
【請求項１】
空気を吸引する為に、空気を吹き出す機能と、空気を吸引する機能とを同時に有し、前記空気を吹き出す際に同心円二重構造の外側において右または左回転に空気を誘導しながら前方に吹き出し、前記空気を吸引する際は上記同心円二重構造の内側において前記と同じ向きの右または左回転に空気を誘導しながら前方の空気を吸引する構造の吸引口を備えて、竜巻状の空気の流れによって吸引する事を特徴とした吸引装置
【請求項２】
同軸二重構造を有した一体型のプロペラファンが回転する事で、前記同軸二重構造の外側で空気を吹き出し、かつ内側で空気を吸引する構造をもつ上記プロペラファンと、同心円二重構造の外側から空気を吹き出し、前記同心円二重構造の内側から空気を吸引する吸引口と、前記外側の空気の流れと内側の空気の流れを同心円状二重構造のパイプで接続する事によって吸引する事を特徴とする請求項１に記載の吸引装置
【発明の詳細な説明】
【技術分野】
【０００１】
本発明は、空気を強力に吸引する機構に関するものである。
【背景技術】
【０００２】
従来の空気を吸引するには、換気扇等によるファンを回し、一方向に吸引するだけの構造で、空気の流れを作る構造である為、ポイントを絞った吸引が困難であった。
【先行技術文献】
【非特許文献】
【０００３】
畠山昭弘著  特願２０１６−１１１３２１「吸引装置」
【発明の概要】
【発明が解決しようとする課題】
【０００４】
従来、空気の吸引を目的とする場合、換気扇等のファンにより一方向だけ風の流れを作って吸引していたが、密閉状態の空間の空気を入れ換える場合には、効率が悪く、吸引力を強くする事が困難であった。本発明は、簡易な構造で効率良く空気を吸引するためになされたものである。また、特願２０１６−１１１３２１で申請済の同軸二重構造を持ったプロペラファンによる竜巻状の吸引装置があるが、機械的な回転部がむき出しの状態で動作する事になる為、安全性を確保する事や、機能を応用する際の制約が生じる場合がある。
【課題を解決するための手段】
【０００５】
本発明は、空気の流れを吹き出しと吸込みの２方向に生成する機構を持ち、同心円二重構造の吸引部を持つパイプの外側で空気をパイプの円周に沿って右または左回転させる方向に吹き出すと同時に内側でも外側の回転された空気を同じ向きに回転させながら吸い込む風の流れを作る構造とすることにより実現することを特徴とする。
【発明の効果】
【０００６】
同心円二重構造を持ち、外側でパイプの円周に沿って右または左回転させる方向に空気を吹き出し、同時に内側でも外側の回転と同じ向きに空気を回転させながら吸い込む構造にする事で、特願２０１６−１１１３２１で提案済の同軸二重構造を持ったプロペラファンによる空気の流れと同様に、全く動作する部分を有せずに同軸の外側で回転させながら吹き出した風の流れのまま前面に吹き出した空気が、一定の距離まで届いた後に内側で同じ方向に空気が回転した状態のままに竜巻状に吸い込む吸引装置を実現する事ができる。
【図面の簡単な説明】
【０００７】
【図１】図１は本発明の吸引口の一つの実施例を示す斜視図である。
【図２】図２は本発明の第１の応用例である。
【図３】図３は本発明の第２の応用例である。
【図４】図４は本発明の第２の応用例で使用する双方向風生成ファンである。
【発明を実施するための形態】
【０００８】
図１の１は同心円二重構造を持つ吸引口の中心点、２は同心円の内側を流れる風を誘導する複数の曲面、３は同心円の内側と外側を分離する円筒、４は同心円の外側を流れる風を誘導する複数の曲面、５は同心円の外側の円筒をそれぞれ示す。
【０００９】
この動作としては、図1の吸引口は、図の表面から裏面に向けて強制的に空気を吸引する様に風が流れる一実施例であり、１の中心点から放射状に配置された２の複数の曲面において、図の時計回りの方向に回転する風の流れを作りながら、空気を吸い込む働きがあり、同時に、３の円筒部により分離された同心円の外側に配置された４の複数の曲面において、図の裏側から表側に向けて空気を吹き出す様に風が流れる状態の中に設置する事で、同心円の外側を流れる風は、図1においては内側と同様に図の時計回りに回転する風の流れを作りながら、空気を吹き出す働きがある。
【００１０】
これを実際に使用する際には、３の円筒と５の円筒が二重構造のパイプとつながり、その内側と外側をそれぞれ図の表から裏へ、裏から表へ強制的に空気の流れを導く様に設置し、その空気の流れを作るファンと共同で全体の動作を作り出すものである。
【００１１】
３の境界部は互いに逆方向に流れる内側の風と外側の風を隔てると同時に、内側の吸引する風の方向を筒状またはスカート状に誘導する役目があり、５の境界部は３の境界部と共に、外側の風の吹き出す向きを同じく筒状またはスカート状に誘導する目的がある。
【００１２】
この３と５の筒状の境界部が筒状あるいはスカート状に渦を巻いたエアーカーテンとなり空間を分断し、同心円の外側で吹き出された空気が同じ回転の渦状として内側に吸い込む流れとなる事から、従来の様に単純に一方向にだけ吸引するよりも空気の流れがスムーズになり、結果として内側の同心円の内側で勢いよく竜巻状の風の流れとなって吸い込む事が可能となる。
【００１３】
尚、この場合の同心円の内側の風の強さと外側の風の強さには、適正な関係が必要であり、適度にバランスを調整する事によって、空気を吸引する範囲を制御する事ができ、吸引力を制御する事が可能となる。同時に２の複数の曲面と４の曲面の形状も吸引力や吸引する距離やカバーエリアを決定する上で、適正な設計とする事も不可欠となる。実施例に示す図１の２の内側の曲面数８枚と４の外側の曲面数１９枚は、あくまでも実施例であって、この数は利用する目的や大きさにより自由に設定する事は、本特許の目的を逸脱するものではない。
【実施例１】
【００１４】
図２は本発明の第1の応用例であり、６は調理用のレンジ台を置いたテーブル面、７は建物等の壁、８は外の空気を建物内に誘導するダクト、９は排気する空気を吹き出すダクト、１０は本発明の吸引部、１１は吸引部の同心円の内側から吸い込んだ空気を屋外に排気する為のファン、１２は同じく吸引部の同心円の外側から吹き出す風を屋外から吸い込む為のファン、１３は屋外から吸込みダクトを流れる空気の流れ、１４は屋外へ排気される空気の流れ、１５は調理用のレンジ台をそれぞれ示す。
【００１５】
この応用例の動作としては、１５調理用レンジ台から発生する湯気や煙を、１３の吸気と１４の排気の流れによって効率的に換気するものである。その為に、７で仕切られた建物の壁の外から、８と９のダクトで区切られた風の流れを、１１及び１２のファンによって生成され、１０の本発明の吸引部をそれらの風が通過する際に渦状に回転する風の流れに誘導して吹き出された同心円の外側の空気が、１５の調理用レンジ台の上で折り返し、竜巻状に回転を保ちながら同心円の内側に吸い込むという実施例である。これは、局所的に発生する悪臭や粉塵が広範囲に拡がらずに吸い出すと言った用途にも容易に応用が考えられる。
【実施例２】
【００１６】
図３は本発明の第２の応用例であり、１６は特願２０１６−１１１３２１で申請済の同軸二重構造を持ったプロペラファン、１７はそのプロペラファンを回転させるモーターをそれぞれ示す。
【００１７】
この応用例の動作としては、図2と同様に調理用レンジ台から発生する湯気や煙を、１３の吸気と１４の排気の流れによって効率的に排気するものであるが、吸気と排気に必要となる風の流れを１６の一つのプロペラファンで構築する様に置き換えたものである。ちなみに、１６の二重構造のプロペラファンその物も竜巻状の吸引機能を有するものであるが、ここでは単に吸引と吹き出し用の２方向の空気の流れを一つのファンで生成する為だけに使用する事で、全体をシンプルに構成した実施例である。
【００１８】
特願２０１６−１１１３２１で申請済の同軸二重構造を持ったプロペラファンによる吸引では、１５の調理用レンジ台の上に１６の回転するファンを設置する必要がある為、利用者にとって安全面が課題となるが、本発明の吸引部は動作する部分が無いので、怪我をする危険性が無くなる。
【００１９】
図４は特願２０１６−１１１３２１で申請済の同軸二重構造を持ったプロペラファンの駆動部以外のファンを示す斜視図であり、１８はモーター等の回転の動力を伝えるファンの中心部、１９は内側の羽、２０は内側と外側を区切る境界部、２１は外側の羽をそれぞれ示す。尚、特願２０１６−１１１３２１で申請済の同軸二重構造を持ったプロペラファンの実施例では、更に外側の羽によって風の流れを誘導する為の境界部も構成として記載してあるが、ここでは８の外の空気を建物内に誘導するダクトがその機能を代用する事になるのと、ファンの軽量化が実現できる事から効率的に動作させる事が可能となる。
【００２０】
以上の実施例は、図１に示した同心円の構造を持った吸引部は、吹き出しと吸引との風を誘導する為だけの構造であるので、その目的を実現させる為の構造としてはこれ以外にも容易に実現させる構造を考える事ができる。また図3による一実施例に示す１６のプロペラファンは図4に示す構造をベースに双方向の風を一つの回転駆動機の中で生成する構造として説明したが、換気扇等にはその他多くの種類の構造が存在する。具体的にはシロッコファン、斜流ファン、ターボファンといった物があるが、これらはすべてモーターやエンジン等の回転駆動によって実現されているので、その一つの回転動作の中で、内側と外側とで双方向の風の流れを生成する構造にする事で、上述した図３による効果と同様の効果を得る為の応用が可能となる。
【符号の説明】
【００２１】
１  同心円二重構造を持つ吸引口の中心点
２  同心円の内側を流れる風を誘導する複数の曲面
３  同心円の内側と外側を分離する円筒
４  同心円の外側を流れる風を誘導する複数の曲面
５  は同心円の外側の円筒
６  調理用のレンジ台を置いたテーブル面
７  建物等の壁
８  外の空気を建物内に誘導するダクト
９  排気する空気を吐き出すダクト
１０  本発明の吸引部
１１  吸引部の同心円の内側から吸い込んだ空気を屋外に排気する為のファン
１２  吸引部の同心円の外側から吹き出す風を屋外から吸い込む為のファン
１３  屋外から吸込みダクトを流れる空気の流れ
１４  屋外へ排気される空気の流れ
１５  調理用のレンジ台
１６  特願２０１６−１１１３２１で申請済の同軸二重構造を持ったプロペラファン
１７  プロペラファンを回転させるモーター
１８  モーター等の回転の動力を伝えるファンの中心部
１９  内側の羽
２０  内側と外側を区切る境界部
２１  外側の羽
【図１】
2018048598.tif 000003
【図２】
2018048598.tif 000004
【図３】
2018048598.tif 000005
【図４】
2018048598.tif 000006